(57)【要約】【課題】  傘と椅子とを備える携帯用傘兼用椅子を提供する。【解決手段】  本発明は，ゴルフ場などでゴルフをしたり，観覧中に座って休息を取ることができるだけでなく，雨天時には，たたんで傘として使用できるように構成された携帯用傘兼用椅子に関するものである。携帯用傘兼用椅子は，一端にネジ部１が形成された中棒３と，中棒３のネジ部１に結合されるとともに，中棒３に沿って昇降する係止帯４が備えられた傘部５と，中棒３の下端に設けられ，係止帯４を中棒３中段に締結または解除して，傘部５を広げたりまたはたたむようにするハジキ６およびハジキ６と一体で設けられ，ハジキ６を作動させる作動ノブ７と，中棒３の下端にヒンジ軸８で結合され，回転可能に構成されるとともに，取っ手９が形成された椅子部１０および中棒３と椅子部１０下端に形成され，椅子部１０が回転した状態を維持または解除させるロッキング手段とを有して構成される。【選択図】    なし
2007509692.tif 000002
【特許請求の範囲】
【請求項１】
一端にネジ部が形成された中棒と；
前記中棒の前記ネジ部に結合されるとともに，前記中棒に沿って昇降する係止帯を備える傘部と；
前記中棒の他端に設けられ，前記係止帯を前記中棒に締結または解除して，前記傘部を開閉させるハジキ，および，前記ハジキと一体で設けられ，前記ハジキを作動させる作動ノブと；
前記中棒の他端にヒンジ軸で結合され，回転可能に構成されるとともに，取っ手が形成された椅子部と；
前記中棒と前記椅子部とに形成され，前記椅子部が回転した状態を維持または解除させるロッキング手段と；
を有して構成されることを特徴とする，携帯用傘兼用椅子。
【請求項２】
前記中棒の他端に設けられ，
前記中棒の直径より大きく，前記傘部を閉じたときの前記傘部の直径と略同じ大きさの直径となるように形成される拡張部を含むことを特徴とする，請求項１に記載の携帯用傘兼用椅子。
【請求項３】
前記ロッキング手段は，
前記中棒の前記拡張部の端に形成された貫通孔と，
前記貫通孔を介して前記拡張部内部に挿入された第１のスプリングと，
前記貫通孔を介して挿入され，くさび型の係止突起が形成されて抜けないように構成されるとともに，一端は前記第１のスプリングと密着させて，他端は前記貫通孔の外側に所定の長さだけ突出されるロッキング部材と，
前記椅子部の前記ヒンジ軸結合部分に形成され，前記椅子部がたたまれるとき前記ロッキング部材が挿入される第１固定孔を備える係止部と，
前記椅子部の中央部分に形成され，前記椅子部を広げたとき，前記ロッキング部材が挿入固定される第２固定孔と，
を有して構成されることを特徴とする，請求項１または２のいずれかに記載の携帯用傘兼用椅子。
【請求項４】
前記作動ノブおよび前記ハジキを弾性支持する，前記中棒内部に設けられた第２のスプリングと，
前記傘部を閉じたとき，伸長するように，前記係止帯に設けられた第３のスプリングを含み，前記作動ノブを押下することにより自動的に前記傘部が開くように構成されることを特徴とする，請求項１〜３のいずれかに記載の携帯用傘兼用椅子。
【発明の詳細な説明】
【技術分野】
【０００１】
本発明は，携帯用傘兼用椅子に関し，より詳細には，ゴルフ場などでゴルフをしたり，ゴルフの観覧中に座って休息を取ることができ，雨天時には，たたんで傘として使用できるように構成された携帯用傘兼用椅子に関する。
【背景技術】
【０００２】
一般的に，椅子は，用途に応じて様々な形態に製作されるが，座るための機能以外の機能はなく，椅子を携帯するのは難しかった。また，例えばゴルフ等のスポーツを楽しむときや観覧するときに使用される，携帯に便利な椅子は開発されていなかった。
【０００３】
例えば，ゴルフをするとき，数人が一組になり１８ホールを回る。このように１８ホールを回るには，長い時間フィールドを歩き回ったり，立っていなければならない。
【０００４】
ところで，ゴルフの試合が長時間に渡って行われると，ゴルファー，キャディ，観客は疲労する。しかし，ゴルフコースに椅子はないため，芝生に座って休むことが多かった。
【０００５】
しかし，芝生には，農薬などの汚染物が付着しており，このため，芝生に座った後，立とうとすると，服に異物が付着してしまう。さらに，雨が降った場合には，芝生が濡れていて座ることができないという問題点がある。
【０００６】
また，屋外フィールドでゴルフをするとき，急に雨が降る場合がある。このため，これに備えて，常にゴルフバックに傘を入れ持ち歩くことになる。
【０００７】
このように，ゴルフをするとき，ゴルフバックに何種類ものゴルフクラブと，さらに傘を入れて持ち運ぶことが多い。特に，雨が降っていない場合には，傘は重い荷物になるだけで，ゴルファーにとって非常に不便であった。
【０００８】
しかも，ゴルファーがゴルフをする間，キャディおよび観客は，ゴルファーと一緒にフィールドを歩き回ったり，立っていなければならない。このため，雨に備えて傘を所持しなければならなかった。
【発明の開示】
【発明が解決しようとする課題】
【０００９】
そこで，本発明は，従来技術において発生する上記の問題点を解決するために発明されたものであって，ゴルフをしている途中で疲労感を感じたときに，地面や芝生に座らずに，座って休息を取ることができ，かつ，急に雨が降ってきた場合でも，傘として使用できるように構成された携帯用傘兼用椅子を提供することにある。
【課題を解決するための手段】
【００１０】
上記した目的を実現するために本発明は，軽量かつ堅固な材質で形成され，一端にネジ部が形成された中棒と，中棒のネジ部に結合され，中棒に沿って昇降する係止帯が備えられた傘部と，中棒の下端に設けられ，係止帯を中棒に締結または解除して，傘部を開閉させるハジキ，および，ハジキを作動させるようにハジキと一体で設けられた作動ノブと，中棒の下端にヒンジ軸で結合され，回転可能に構成されるとともに，取っ手が形成された椅子部および中棒と椅子部下端に形成され，椅子部が回転した状態を維持または解除させるロッキング手段とを有して構成されることを特徴とするものである。
【発明の効果】
【００１１】
本発明は，椅子部を中棒と平行となるようにたたんで収納して携帯することができる。必要の際は，椅子部を回転させ中棒と垂直になるようにした後，椅子部に座って，例えばゴルフ等を観覧したり，休むことができる。これ以外にも，移動の合間に，携帯用椅子を広げると座ることができ，休息を取ることができる。
【００１２】
また，急に雨が降った場合には，椅子部をたたみ，傘を広げて使用できる。このため，いつでも雨を避けることができる。さらに，傘と椅子部とが一体に形成されているため，傘の機能と椅子の機能とを利用することができる。したがって，別途に携帯する必要がなく，軽量であるため，携帯が容易かつ実用的である。
【発明を実施するための最良の形態】
【００１３】
本発明の携帯用傘兼用椅子は，折りたたみ式椅子部と折りたたみ式傘部とを有して構成されている。具体的には，一端にネジ部１が形成され，他端に拡張部２が形成された中棒３と，中棒３の上端のネジ部１に結合され，中棒３に沿って昇降するように係止帯４が備えられた傘部５と，係止帯４が締結されたり解除され，傘部５が閉じた状態を維持したり傘部５を広げるように，中棒３の下端に設けられたハジキ６，およびこれを作動させるように設けられた作動ノブ７と，中棒３の拡張部２の下端においてヒンジ軸８に結合され，回転可能に構成されるとともに，取っ手９が形成された椅子部１０と，椅子部１０が回転した状態を維持させたり解除させるように椅子部１０と中棒３の下端部とに形成されたロッキング手段とからなっている。
【００１４】
図１〜図４において，中棒３は長さ方向に長い棒であり，人の体重を支えるために比較的堅固で軽い材質，例えば，ジュラルミン（アルミニウム合金）等のような金属材質で形成するのが好ましい。
【００１５】
また，中棒３の一端には，比較的堅固なプラスチックまたはゴム材質の接触部材２０が結合されている。これにより，中棒３を接地させて荷重を加えても，変形または破損することを防止できる。
【００１６】
傘部５は，傘の骨組と傘の布などからなり，中棒３の一端のネジ部１に固定された状態で放物線状に広がることによって，雨天時，雨を避けられるようになっている。さらに，中棒３に隣接するように折りたたむことができる。
【００１７】
また，ハジキ６と作動ノブ７は，一般的な自動傘に適用されるものをそのまま使用すればよい。ハジキ６と作動ノブ７が一体に形成された状態で，中棒３内部においてスプリング１８で支持されるようになっている。係止帯４は，中棒３の上端外周縁に設けられたスプリング１９で引き寄せるように設けられ，作動ノブ７を押下すると傘部５が広がるようになっている。
【００１８】
椅子部１０は，中棒３の拡張部２とヒンジ軸８により９０度の角度で回動可能なように固定されている。椅子部１０を回転させて地面に対して水平にすることにより，どこででも座ることができるように構成されている。
【００１９】
また，椅子部１０には，携帯用傘兼用椅子を持って歩くのに便利であると同時に，掛けくぎなどに掛けて保管できるように取っ手９が形成されている。
【００２０】
ロッキング手段は，貫通孔１１と，スプリング１２と，ロッキング部材１４とを有して構成される。貫通孔１１は，中棒３の拡張部２の端に形成されている。スプリング１２は，貫通孔１１を介して拡張部２内部に挿入されている。ロッキング部材１４は，貫通孔１１を介して挿入され，くさび型の係止突起１３により抜けないように構成されている。さらに，ロッキング部材１４は，スプリング１２と一側面が密着され，他端が貫通孔１１の外側に一定の長さだけ突出されている。また，ロッキング手段は，係止部１６を備えている。係止部１６は，ヒンジ軸８結合部分に形成されるとともに，椅子部１０がたたまれるときロッキング部材１４が挿入されるよう第１固定孔１５が形成されている。さらに，ロッキング手段は，第２固定孔１７を有して構成されており，第２固定孔１７は，椅子部１０の中央部分に形成され，椅子部１０に座るためにこれを広げたとき，ロッキング部材１４が挿入固定されるように形成されている。
【００２１】
ここで，ロッキング部材１４は，拡張部２に貫通孔１１を介して挿入されているため，拡張部２の外部に離脱しない状態で移動自在である。さらに，ロッキング部材１４は，第１固定孔１５，第２固定孔１７に結合または解除が容易なように，ロッキング部材１４の係止部１６側に突出している端部は丸みをおびて形成される。
【００２２】
上記したような構成を有する本発明による携帯用傘兼用椅子の作用効果を説明すると，次のとおりである。
【００２３】
通常，本発明の携帯用傘兼用椅子をかばん等に入れ持ち歩けばよく，ゴルファーがゴルフ場でゴルフをしたり，または，観客が競技を観戦している途中で，休息を取ろうとする場合に，携帯用傘兼用椅子を取り出して使用することができる。
【００２４】
すなわち，椅子部１０に形成された係止部１６の第１固定孔１５に突出したロッキング部材１４を手で押しながらヒンジ軸８を中心に椅子部１０を回転させる。すると，ロッキング部材１４は第１固定孔１５から簡単に離脱するとともに，椅子部１０が回転するようになる。
【００２５】
椅子部１０が回転するようになると，椅子部１０の中央部に形成された第２固定孔１７にロッキング部材１４が嵌合されながら，椅子部１０が地面に対して水平状態を維持するようになる。このとき，椅子部１０が安定した状態を維持するために，中棒３の端を地面に当てて，中棒３を略垂直に位置させた後に，椅子部１０に座ることができるようになる。
【００２６】
椅子部１０に人が座るときは，中棒３の端に設けられた接触部材２０が接地しているため，中棒３が破損したり滑ったりするなどのことを防止するようになる。したがって，中棒３が直立した状態で，椅子部１０に座り，休むことができる。
【００２７】
このとき，椅子部１０は，ロッキング部材１４により比較的堅固に固定されている状態なので，安定して座ることができる。なお，このとき中棒３に結合されている傘部５は閉じており，中棒３に密着した状態である。
【００２８】
このような状態で急に雨が降りだしたとき，椅子部１０をたたんでロッキング部材１４が第１固定孔１５に嵌合されるようにした後，椅子部１０に形成された取っ手９をつかみ，作動ノブ７を押下すると，係止帯４がハジキ６から解除されて，スプリング１９の力により傘部５が広がるようになる。
【００２９】
すなわち，一般的な自動傘のように自動ノブ７を押下するだけ，で椅子部１０から傘に直ちに変換可能になるので，椅子部１０および傘部５の使用が非常に便利である。
【００３０】
ここで，図５に示したように，作動ノブ７およびハジキ６を適用せず，係止帯４を手で押し上げ，スプリングＳで弾性運動するハジキ２１により引っかかるようにする三段傘部２２を適用することもできる。これにより，傘の大きさをより小さく維持できるようになる。
【００３１】
上記したように，雨が降っている場合には，傘部５，２２を使用し，雨が止めば，再び傘をたたむ。このとき，傘部５，２２をたたむと，拡張部２の直径は中棒３と比べて大きいため，傘部５の直径と拡張部２の直径とがほぼ同じにすることにより，傘部分の全体的な状態が直線をなすようになる。これにより，携帯の際に，傘が服やかばん等に引っかかったりすることを防止することができる。
【００３２】
なお，このような携帯用傘兼用椅子は，ゴルフ場以外に，例えば登山等の野外活動の際にも便利に使用することができる。
【産業上の利用可能性】
【００３３】
本発明は，ゴルフ場や登山等の野外活動の際に使用可能なものであって，急に雨が降ってきた場合には，椅子部をたたみ，傘を広げて使用することができるのと同時に，椅子がない場所で疲労感を感じた場合には，直ちに椅子として使用可能なものである。
【図面の簡単な説明】
【００３４】
【図１】本発明にかかる携帯用傘兼用椅子を図示した分解斜視図である。
【図２】図１の組み立て断面図である。
【図３】図２において椅子部を広げた状態を図示した拡大断面図である。
【図４】図３において椅子部をたたんだ状態を図示した拡大断面図である。
【図５】本発明にかかる三段傘が装着された状態を図示した断面図である。
【符号の説明】
【００３５】
１                ネジ部
２                拡張部
３                中棒
４                係止帯
５，２２          傘部
６，２１          ハジキ
７                作動ノブ
８                ヒンジ軸
９                取っ手
１０              椅子部
１１              貫通孔
１２，１８，１９  スプリング
１３              係止突起
１４              ロッキング部材
１５              第１固定孔
１６              係止部
１７              第２固定孔
２０              接触部材
【図１】
2007509692.tif 000003
【図２】
2007509692.tif 000004
【図３】
2007509692.tif 000005
【図４】
2007509692.tif 000006
【図５】
2007509692.tif 000007
【国際調査報告】
2007509692.tif 000008